(57)【要約】【課題】エレベータ乗場三方枠上側の幕板部内にシャッターを独立して収納配置し、シャッター機器を乗場側より据え付け作業や、保守作業ができるエレベータの乗場装置を提供する。シャッター機器の後付けを可能とする。【解決手段】乗場出入口を開閉する乗場ドアと、この乗場ドアの前面に設けられた乗場三方枠とを備えたエレベータの乗場装置において、乗場三方枠上側の幕板部の乗場側を段差形状としてシャッター装置取付用収納部を形成し、このシャッター装置取付用収納部に防火・防煙シャッター装置を設置した。【選択図】      図１
2004338902.tif 000002
【特許請求の範囲】
【請求項１】
乗場出入口を開閉する乗場ドアと、この乗場ドアの前面に設けられた乗場三方枠とを備えたエレベータの乗場装置において、前記乗場三方枠上側の幕板部の乗場側を段差形状としてシャッター装置取付用収納部を形成し、このシャッター装置取付用収納部に防火・防煙シャッター装置を設置したことを特徴とするエレベータの乗場装置。
【請求項２】
乗場三方枠左右両側の縦枠部の乗場側を段差形状としてシャッターガイドレール取付用収納部を形成し、このシャッターガイドレール取付用収納部にシャッターガイドレールを設置したことを特徴とする請求項１記載のエレベータの乗場装置。
【請求項３】
乗場出入口を開閉する乗場ドアと、この乗場ドアの前面に設けられた乗場三方枠とを備えたエレベータの乗場装置において、前記乗場三方枠上側の幕板部の下面を上方に向かって突出する凹形状としてシャッター装置取付用収納部を形成し、このシャッター装置取付用収納部に防火・防煙シャッター装置を設置したことを特徴とするエレベータの乗場装置。
【請求項４】
乗場三方枠左右両側の縦枠部の昇降路側を段差形状としてシャッターガイドレール取付用収納部を形成し、このシャッターガイドレール取付用収納部にシャッターガイドレールを設置したことを特徴とする請求項３記載のエレベータの乗場装置。
【請求項５】
シャッター装置の上面を天井仕上面より高くなるように配置したことを特徴とする請求項１または請求項２記載のエレベータの乗場装置。
【請求項６】
シャッター装置を乗場三方枠の上枠の上方部に位置させて、天井仕上面より高くなるように配置したことを特徴とする請求項１または請求項２記載のエレベータの乗場装置。
【発明の詳細な説明】
【０００１】
【発明の属する技術分野】
この発明はエレベータの乗場装置に関するものである。
【０００２】
【従来の技術】
従来のエレベータの乗場装置においては、乗場三方枠の上枠に巻き取り機構を装備し制動手段により常時は回転を制動し、また三方枠の間口に対応した耐熱性シートを巻き取り機構に巻き掛けて常時は上昇位置に保持する。また、三方枠の間口方向の縁部に吸着する磁石を耐熱性シートの幅方向の縁部に設け、また、耐熱性シートの下端に重錘を装着する。そして、煙感知器の動作により制動手段に制動解除を指令する制御装置を設けることにより、火災時の煙感知器の作動により制動装置によって巻き取り機構の制動を解除して重錘により耐熱性シートが下降し、エレベータ乗場出入口前を封鎖し、防火区域を形成している（例えば、特許文献１参照）。
【０００３】
【特許文献１】
特開２００２−３３８１６０号公報
【０００４】
【発明が解決しようとする課題】
上記従来のエレベータの乗場装置にあっては、火災時に乗場出入口前を封鎖し、防火区域を形成するシャッターとなる耐熱性シートを三方枠上枠の幕板部に収納していたので、シャッターがエレベータ乗場装置の構成部品等にラップするため、保守・点検作業が困難であった。また、保守作業を昇降路側から行う必要があるため、保守時はエレベータが利用できなくなる。さらにまた、三方枠上枠の幕板部内にシャッター機器を内蔵したタイプでは、エレベータ据え付けと同期してシャッター機器を据え付ける必要があり、三方枠据え付け後にはシャッター機器の後付けができないという問題があった。
【０００５】
この発明は、上述のような課題を解決するためになされたもので、第１の目的は、エレベータ乗場三方枠上側の幕板部内にシャッターを独立して収納配置し、シャッター機器を乗場側より据え付け作業や、保守作業ができるエレベータの乗場装置を提供するものである。
【０００６】
【課題を解決するための手段】
この発明に係るエレベータの乗場装置は、乗場三方枠上側の幕板部の乗場側を段差形状としてシャッター装置取付用収納部を形成し、このシャッター装置取付用収納部に防火・防煙シャッター装置を設置したものである。
【０００７】
【発明の実施の形態】
実施の形態１．
図１はこの発明の実施の形態１におけるエレベータの乗場装置を示す正面図、図２は図１の横断面図、図３は図１の縦断面図である。図１〜図３において、エレベータの乗場装置は、乗場出入口上部に設けられた乗場ドア装置１と、このドア装置１により吊り下げられ乗場出入口を開閉する乗場ドア２と、乗場ドア２の前面に設けられ乗場三方枠３の左右両側部を構成する縦枠３ａと、乗場ドア装置１の前面に設けられ乗場三方枠３の上側部を構成する幕板部３ｂと、乗場三方枠３の幕板部３ｂに取り付けられた防火・防煙シャッター装置４を内蔵したシャッターケーシング４ａと、乗場三方枠３の左右の縦枠３ａに設けられたシャッター用ガイドレール４ｂと、乗場出入口下部に設けられ乗場ドア２の下端部を摺動案内する乗場敷居５と、常時は乗場出入口上部のシャッター装置４に巻き取られており、火災時に火災感知器又は煙感知器等の信号を受信しシャッター装置４から下降して乗場出入口前を封鎖し、防火区域を形成する防火・防煙シート６とから構成されている。エレベータ乗場三方枠３の上側部を構成する幕板部３ｂは、その上部前面が左右の縦枠３ａの前面より僅かに凹んでいるか、或いはほぼ面一の幕板を構成し、この幕板下端より後方（昇降路側）に向かって直角に折り曲げられ、さらに下方（乗場床面）に向かって直角に折り曲げられた段差形状のシャッター装置取付部３ｃを形成している。このシャッター装置取付部３ｃの下部内側空間がシャッター装置取付用収納部１５となり、シャッター装置４はここに取り付けられて配置される。そして、シャッター装置４の前面及び下方はシャッターケーシング４ａにより目隠しされているので、意匠上の問題もない。また、シャッター用ガイドレール４ｂは、乗場三方枠３の左右縦枠３ａの昇降路側寄りに互いに対向するように縦枠３ａ表面よりも突出して立設され、上下方向に亘ってシャッター降下溝７が設けられている。
なお、シャッター取付収納部１５の大きさは、使用するシャッター装置４の大きさに合わせて、幕板部３ｂの段差形状のシャッター装置取付部３ｃの寸法を変更することで容易に対応できる。
【０００８】
このように構成されたエレベータの乗場装置においては、独立したシャッター装置機器を乗場三方枠の内側に設置することができるので、防火・防煙シャッター装置の要否に拘らず、乗場三方枠の構造を同一仕様にすることができる。また、乗場三方枠とは別構造であるため、防火・防煙シャッター装置をユニット化することができる。また、乗場側より容易にシャッター装置機器の保守作業や据え付け作業を行うことができる。
【０００９】
実施の形態２．
図４はこの発明の実施の形態２におけるエレベータの乗場装置を示す正面図、図５は図４の横断面図、図６は図４の縦断面図である。図４〜図６において、上記実施の形態１と同一部分は同一符号で示す。この実施の形態２では、乗場三方枠３を構成する左右縦枠３ａの乗場側寄りの互いに対向する部分に上下方向に亘ってシャッターガイドレール収納用凹部１２を形成し、この凹部１２を取付用スペースとしてシャッター用ガイドレール４ｂを収納配置したものである。左右縦枠３ａの昇降路側表面とシャッター用ガイドレール４ｂの表面は面一になるように構成されている。また、シャッター用ガイドレール４ｂの取付用スペースを形成するシャッターガイドレール収納用凹部１２の寸法は、シャッター用ガイドレール４ｂの大きさに合わせて容易に変更することができる。
【００１０】
このように構成されたエレベータの乗場装置においては、シャッターガイドレールが乗場三方枠の縦枠より出入口内側に突出しないので、既存の乗場出入口幅を確保することができ、乗場意匠性が向上する。
【００１１】
実施の形態３．
図７はこの発明の実施の形態３におけるエレベータの乗場装置を示す正面図、図８は図７の横断面図、図９は図７の縦断面図である。図７〜図９において、上記実施の形態１と同一部分は同一符号で示す。この実施の形態３では、乗場三方枠３の上側部を構成する幕板部３ｂの正面全体を幕板とし、この幕板に乗場位置表示器８を設けている。また、この幕板部３ｂの下端より後方（昇降路側）に向かって直角に折り曲げ、さらに上方（乗場天井面）に向かって大きく突出させて凹形状のシャッター装置取付部１４を形成している。そして、このシャッター装置取付部１４の内側空間がシャッター装置取付用収納部１５となり、シャッター装置４はここに取り付けられ配置される。そして、シャッター装置４の下面はシャッターケーシング４ａにより目隠しされる。また、乗場三方枠３を構成する左右縦枠３ａの昇降路側寄りの互いに対向する部分に上下方向に亘ってシャッターガイドレール収納用凹部１３を形成し、この凹部１３を取付用収納部としてシャッター用ガイドレール４ｂを収納配置したものである。左右縦枠３ａの乗場側表面とシャッター用ガイドレール４ｂの表面は面一になるように構成されている。
なお、シャッター装置取付用収納部１５の大きさは、使用するシャッター装置４の大きさに合わせて、凹形状のシャッター装置取付部１４の寸法を変更することで容易に対応できる。また、シャッター用ガイドレール４ｂの取付用スペースを形成するシャッターガイドレール収納用凹部１３の寸法は、シャッター用ガイドレール４ｂの大きさに合わせて容易に変更することができる。
【００１２】
このように構成されたエレベータの乗場装置においては、乗場からシャッター装置が見えにくくなるので、意匠性が向上する。また、乗場三方枠の幕板部に乗場位置表示器を簡単に取り付けることができる。
【００１３】
実施の形態４．
図１０はこの発明の実施の形態４におけるエレベータの乗場装置を示す正面図、図１１は図１０の縦断面図である。図１０、図１１において、上記実施の形態１と同一部分は同一符号で示す。この実施の形態４では、シャッター装置４の上端面が天井仕上面より高くなるように配置している。具体的には、乗場三方枠３の上側部を構成する幕板部３ｂとシャッター装置４のケーシング４ａ上端部の組付線１７が天井面より高くなるので、天井内に納まる配置となる。従って、天井面に点検口（図示せず）を設け、乗場からシャッター装置４の保守・点検を行うことができる。
この実施の形態４によれば、シャッター装置４の上端面を天井仕上面より高くなるように配置したので、乗場意匠性として乗場三方枠の幕板高さを小さくすることができる。つまり幕板無し構造としても対応ができ、顧客が選択できる意匠バリエーションが増えることになる。また、三方枠上枠とシャッター装置の組付部（組付線）が乗場より見えないので、意匠性が向上する。
【００１４】
実施の形態５．
図１２はこの発明の実施の形態５におけるエレベータの乗場装置を示す正面図、図１３は図１２の縦断面図である。図１２、図１３において、上記実施の形態２と同一部分は同一符号で示す。この実施の形態５でも、実施の形態４と同様にシャッター装置４の上端面が天井仕上面より高くなるように配置している。具体的には、乗場三方枠３の上側部を構成する幕板部３ｂとシャッター装置４のケーシング４ａ上端部の組付線１７が天井面より高くなるので、天井内に納まる配置となる。従って、天井面に点検口（図示せず）を設け、乗場からシャッター装置４の保守・点検を行うことができる点も実施の形態４と同様である。
この実施の形態５によれば、シャッター装置４の上端面を天井仕上面より高くなるように配置したので、乗場意匠性として乗場三方枠の幕板高さを小さくすることができる。つまり幕板無し構造としても対応ができ、顧客が選択できる意匠バリエーションが増えることになる。また、三方枠上枠とシャッター装置の組付部（組付線）が乗場より見えないので、意匠性が向上する。
【００１５】
実施の形態６．
図１４はこの発明の実施の形態６におけるエレベータの乗場装置を示す正面図、図１５は図１４の縦断面図である。図１４、図１５において、上記実施の形態３と同一部分は同一符号で示す。この実施の形態６でも、実施の形態４、５と同様にシャッター装置４の上端面が天井仕上面より高くなるように配置している。具体的には、乗場三方枠３の幕板部３ｂに形成した凹形状のシャッター装置取付部１４の上端部が天井面より高くなるので、シャッター装置４が天井内に納まる配置となる。従って、天井面に点検口（図示せず）を設け、乗場からシャッター装置４の保守・点検を行うことができる点も実施の形態４、５と同様である。
この実施の形態６によれば、シャッター装置４の上端面を天井仕上面より高くなるように配置したので、乗場意匠性として乗場三方枠の幕板高さを小さくすることができる。つまり幕板無し構造としても対応ができ、顧客が選択できる意匠バリエーションが増えることになる。
【００１６】
実施の形態７．
図１６はこの発明の実施の形態７におけるエレベータの乗場装置を示す正面図、図１７は図１６の縦断面図である。図１６、図１７おいて、上記実施の形態１と同一部分は同一符号で示す。この実施の形態７では、シャッター装置４を乗場三方枠３の上枠１０の上方部に位置するように配置し、シャッター装置４全体が天井仕上面より高くなるように配置されている。具体的には、左右の縦枠３ａとともに乗場三方枠３の上側部を構成する上枠１０と、この上枠１０の上方部に設けられ、シャッター装置４を内蔵したケーシング４ａと、このケーシング４ａを収納する段差形状のシャッター装置取付部３ｃを形成した幕板部３ｂとから構成されている。従って、シャッター装置４を天井仕上面より高くなるように配置できるので、シャッター装置が天井内に完全に納まった状態となる。また、上枠１０をシャッター装置４の下部に配置し、天井仕上面を上枠１０の位置とすることにより、天井面に点検口（図示せず）を設け、乗場からシャッター装置４の保守・点検を行うことができる。
この実施の形態７によれば、乗場三方枠上枠を設け、この上枠の上部にシャッター装置を完全に天井内に納めるように配置したので、乗場意匠性がさらに向上する。また、上記実施の形態１〜６のようにシャッター装置が乗場三方枠部に露出しないため、シャッター装置を乗場三方枠の仕上げに合わせる必要がなく、シャッター装置のコストを削減することができる。
【００１７】
実施の形態８．
図１８はこの発明の実施の形態８におけるエレベータの乗場装置を示す正面図、図１９は図１８の縦断面図である。図１８、図１９おいて、上記実施の形態２と同一部分は同一符号で示す。この実施の形態８でも、実施の形態７と同様にシャッター装置４を乗場三方枠３の上枠１０の上方部に位置するように配置し、シャッター装置４全体が天井仕上面より高くなるように配置されている。具体的には、左右の縦枠３ａとともに乗場三方枠３の上側部を構成する上枠１０と、この上枠１０の上方部に設けられ、シャッター装置４を内蔵したケーシング４ａと、このケーシング４ａを収納する段差形状のシャッター装置取付部３ｃを形成した幕板部３ｂとから構成されている。従って、シャッター装置４を天井仕上面より高くなるように配置できるので、シャッター装置が天井内に完全に納まった状態となる。また、上枠１０をシャッター装置４の下部に配置し、天井仕上面を上枠１０の位置とすることにより、天井面に点検口（図示せず）を設け、乗場からシャッター装置４の保守・点検を行うことができる。
この実施の形態８によれば、乗場三方枠上枠を設け、この上枠の上部にシャッター装置を完全に天井内に納めるように配置したので、乗場意匠性がさらに向上する。また、上記実施の形態１〜６のようにシャッター装置が乗場三方枠部に露出しないため、シャッター装置を乗場三方枠の仕上げに合わせる必要がなく、シャッター装置のコストを削減することができる。
【００１８】
【発明の効果】
この発明は以上説明したように、乗場三方枠上側の幕板部の乗場側を段差形状としてシャッター装置取付用収納部を形成し、このシャッター装置取付用収納部に防火・防煙シャッター装置を設置したので、防火・防煙シャッター装置の要否に拘らず、乗場三方枠の構造を同一仕様にすることができる。また、乗場三方枠とは別構造であるため、防火・防煙シャッター装置をユニット化することができる。また、乗場側より容易にシャッター装置機器の保守作業や据え付け作業を行うことができる。
【図面の簡単な説明】
【図１】この発明の実施の形態１におけるエレベータの乗場装置を示す正面図である。
【図２】この発明の実施の形態１におけるエレベータ乗場装置の横断面図である。
【図３】この発明の実施の形態１におけるエレベータ乗場装置の縦断面図である。
【図４】この発明の実施の形態２におけるエレベータの乗場装置を示す正面図である。
【図５】この発明の実施の形態２におけるエレベータ乗場装置の横断面図である。
【図６】この発明の実施の形態２におけるエレベータ乗場装置の縦断面図である。
【図７】この発明の実施の形態３におけるエレベータの乗場装置を示す正面図である。
【図８】この発明の実施の形態３におけるエレベータ乗場装置の横断面図である。
【図９】この発明の実施の形態３におけるエレベータ乗場装置の縦断面図である。
【図１０】この発明の実施の形態４におけるエレベータの乗場装置を示す正面図である。
【図１１】この発明の実施の形態４におけるエレベータ乗場装置の縦断面図である。
【図１２】この発明の実施の形態５におけるエレベータの乗場装置を示す正面図である。
【図１３】この発明の実施の形態５におけるエレベータ乗場装置の縦断面図である。
【図１４】この発明の実施の形態６におけるエレベータの乗場装置を示す正面図である。
【図１５】この発明の実施の形態６におけるエレベータ乗場装置の縦断面図である。
【図１６】この発明の実施の形態７におけるエレベータの乗場装置を示す正面図である。
【図１７】この発明の実施の形態７におけるエレベータ乗場装置の縦断面図である。
【図１８】この発明の実施の形態８におけるエレベータの乗場装置を示す正面図である。
【図１９】この発明の実施の形態８におけるエレベータ乗場装置の縦断面図である。
【符号の説明】
１  乗場ドア装置
２  乗場ドア
３  乗場三方枠
３ａ  縦枠
３ｂ  幕板部
３ｃ、１４  シャッター装置取付部
４  シャッター装置
４ａ  シャッターケーシング
４ｂ  シャッター用ガイドレール
５  乗場敷居
６  防火・防煙シート
７  シャッター降下溝
８  乗場位置表示器
１０  上枠
１２、１３  シャッターガイドレール収納用凹部
１５  シャッター装置取付用収納部
１７  上枠とシャッター装置の間の組付線
【図１】
2004338902.tif 000003
【図２】
2004338902.tif 000004
【図３】
2004338902.tif 000005
【図４】
2004338902.tif 000006
【図５】
2004338902.tif 000007
【図６】
2004338902.tif 000008
【図７】
2004338902.tif 000009
【図８】
2004338902.tif 000010
【図９】
2004338902.tif 000011
【図１０】
2004338902.tif 000012
【図１１】
2004338902.tif 000013
【図１２】
2004338902.tif 000014
【図１３】
2004338902.tif 000015
【図１４】
2004338902.tif 000016
【図１５】
2004338902.tif 000017
【図１６】
2004338902.tif 000018
【図１７】
2004338902.tif 000019
【図１８】
2004338902.tif 000020
【図１９】
2004338902.tif 000021